(57)【特許請求の範囲】
【請求項１】
底面に入口開口が形成されたノズル本体と、前記入口開口と連通する接続部材とを有する電気掃除機のノズルにおいて、
前記ノズル本体の入口開口の前側及び後側に夫々可撓性を有する毛束を列状に植設して形成した前ブラシ列及び後ブラシ列を設け、前記前ブラシ列の毛束同士の間隔を、前記後ブラシ列の毛束同士の間隔よりも大きくし、
前記ノズル本体の左右何れかの一端が前端となるように、前記ノズル本体を前記接続部材に対して回動可能とし、前記入口開口を挟むように且つ前記各ブラシ列と並列に一対のリブを形成し、これらのリブを、前記毛束の取付面から下方に突出させて形成すると共に、
前記毛束の突出量を前記リブの突出量よりも大きくしたことを特徴とする電気掃除機のノズル。
【発明の詳細な説明】
【技術分野】
【０００１】
本発明は、電気掃除機のノズルに関するものであり、特に、固定されたブラシを有するノズルに関するものである。
【背景技術】
【０００２】
従来、この種の電気掃除機のノズルとしては、ブラシ植毛を掃除面に複数配列して、これらの列の間に吸引口を設けると共に、この吸引口の後に吸引管を設けた特殊掃除ブラシが知られている（例えば、特許文献１参照。）。
【特許文献１】実開平６−４１６４８号公報
【発明の開示】
【発明が解決しようとする課題】
【０００３】
一般的に、床等の平坦な被清掃面上の塵埃を吸引しようとした場合、前記ノズルを前後に動かしながら、前記ノズルの前方の塵埃をその前方から吸引するのが一般的である。しかしながら、前述したような電気掃除機のノズルにおいては、前記ブラシの列が左右に並んでいるのであれば問題ないが、このようなブラシの列を前後に並べた場合、前後に並んだブラシの列が吸引気流の抵抗となるばかりでなく、前方と後方のブラシの列を通過する気流の量がほぼ同じになってしまうので、平坦な被清掃面を清掃するのに適さないという問題があった。
【０００４】
本発明は以上の問題点を解決し、平坦な被清掃面上の塵埃を吸引しやすい、固定されたブラシを有する電気掃除機のノズルを提供することを目的とする。
【課題を解決するための手段】
【０００５】
本発明の請求項１に記載の電気掃除機のノズルは、底面に入口開口が形成されたノズル本体と、前記入口開口と連通する接続部材とを有する電気掃除機のノズルにおいて、前記ノズル本体の入口開口の前側及び後側に夫々可撓性を有する毛束を列状に植設して形成した前ブラシ列及び後ブラシ列を設け、前記前ブラシ列の毛束同士の間隔を、前記後ブラシ列の毛束同士の間隔よりも大きくし、前記ノズル本体の左右何れかの一端が前端となるように、前記ノズル本体を前記接続部材に対して回動可能とし、前記入口開口を挟むように且つ前記各ブラシ列と並列に一対のリブを形成し、これらのリブを、前記毛束の取付面から下方に突出させて形成すると共に、前記毛束の突出量を前記リブの突出量よりも大きくしたものである。
【発明の効果】
【０００７】
本発明の請求項１に記載の電気掃除機のノズルは、以上のように構成することにより、このノズルから塵埃を含んだ気流を吸引する場合、前記後ブラシ列を構成する毛束の間よりも、前記前ブラシ列を構成する毛束の間から、より多くの気流を吸引することができるので、塵埃を前記ノズルの前方から良好に吸引することができる。
【０００８】
また、前記ノズル本体の左右何れかの一端が前端となるように、前記ノズル本体を前記接続部材に対して回動可能とし、前記入口開口を挟むように且つ前記各ブラシ列と並列に一対のリブを形成し、これらのリブを、前記毛束の取付面から下方に突出して形成すると共に、前記毛束の突出量を前記リブの突出量よりも大きくしたことで、前記ノズル本体の左右何れかの一端が前端となるように前記ノズル本体を前記接続部材に対して回動させた状態で、前記ノズルを被清掃面に押し付けて、前記各ブラシ列を構成する毛束を撓ませると、前記前ブラシ列の各毛束同士と取付面（場合によっては、これらと被清掃面）で囲まれる開口部の総面積と、前記後ブラシ列の各毛束同士と取付面（或いはこれらと被清掃面）で囲まれる開口部の総面積との差が、前記各毛束が直立した状態に比べて小さくなるばかりでなく、前記各開口部の前記取付面側が前記リブと重なることで、側方から前記各ブラシ列を通過して前記入口開口に流入する気流を少なくし且つ左右で大きく異ならせないようにすることで、塵埃を含む気流を良好に吸引することができる。
【発明を実施するための最良の形態】
【０００９】
以下、本発明の実施形態について、図１乃至図１３に基づいて説明する。１は手持ち型の電気掃除機である。この電気掃除機１は、掃除機本体２と、この掃除機本体２に対して着脱自在に取り付けられるノズル３と、前記掃除機本体２に対して着脱自在に取り付けられる集塵手段４とを有して構成されている。
【００１０】
前記掃除機本体２は、電動送風機５が内蔵された胴部６と、図示しない吸引経路が内部に設けられた接続部７と、把持部８と、電源コード９とを有して構成されている。また、前記把持部８には、前記集塵手段４を着脱するための操作部１０及び図示しないスイッチ操作部が設けられている。そして、前記接続部７の吸引経路の一端には、前記ノズル３が着脱自在に取り付けられている。
【００１１】
前記ノズル３について詳述する。このノズル３は、横長のノズル本体１１と、このノズル本体１１に対して回動可能に取り付けられる接続部材１２とを有して構成されている。そして、前記ノズル本体１１は、その底面１３の中央に入口開口１４が形成されている。また、この入口開口１４を挟むように、前リブ１５及び後リブ１６が前記底面１３から下方に突出するように、左右方向に延びて前記底面１３と一体に形成されている。なお、前記前リブ１５及び後リブ１６は、図３に示すように、前記底面１３からの突出量が等しくなるように形成されていると共に、図５に示すように、幅が等しく且つ平行に形成されている。また、前記入口開口１４を挟むように、前記底面１３に前ブラシ列１７及び後ブラシ列１８が左右方向に延びて設けられている。なお、前記前ブラシ列１７と後ブラシ列１８は、図５に示すように、互いに平行に設けられている。また、前記前ブラシ列１７は、前記底面１３の一部を構成する取付面１９に複数の毛束２０を直線状に且つ等間隔に植設して構成されていると共に、前記後ブラシ列１８も、前記底面１３の一部を構成する取付面２１に複数の毛束２２を直線状に且つ等間隔に植設して構成されている。そして、前記取付面１９は、前記前リブ１５よりも前方に設けられると共に、前記取付面２１は、前記後リブ１６よりも後方に設けられる。即ち、前記前ブラシ列１７は、前記前リブ１５よりも前方に設けられると共に、前記後ブラシ列１８は、前記後リブ１６よりも後方に設けられる。そして、前記前ブラシ列１７は、前記前リブ１５と平行に設けられると共に、前記後ブラシ列１８も、前記後リブ１６と平行に設けられる。また、前記各ブラシ列１７，１８を構成する毛束２０，２２の突出量は等しく形成されていると共に、前記各リブ１５，１６の突出量よりも大きく形成されている。また、前記前ブラシ列１７を構成する毛束２０同士の間隔Ｐ１は、前記後ブラシ列１８を構成する毛束２２同士の間隔Ｐ２よりも大きくされている。更に、前記各毛束２０，２２が植設される前記取付面１９，２１は、前記底面１３の両端部とほぼ同じ高さに形成されていることで、前記前リブ１５及び後リブ１６は、前記取付面１９，２１からも下方に突出して形成されている。また、前記ノズル本体１１の右側上面には、開口部２３が形成されており、この開口部２３からロック操作部２４が露出している。
【００１２】
前記接続部材１２は、回動体２５と、接続管２６とを有して構成されている。前記回動体２５は、前記入口開口１４の中心を通る軸線Ｙ回りに回動可能となるように、前記ノズル本体１１に対して取り付けられている。また、前記接続管２６は、前記軸線Ｙと直交して左右方向に延びる軸線Ｘ回りに回動可能となるように、前記回動体２５に対して取り付けられている。
【００１３】
なお、横長の前記ノズル本体１１は、前記掃除機本体２に取り付けられる接続部材１２を基準とした場合、前記前ブラシ列１７が設けられた側１１Ａ（以下、単に前端という）、又は前記ロック操作部２４が設けられた側１１Ｂの何れか一方が前側となるように、９０度の範囲で回動可能となっている。即ち、前記ノズル本体１１は、図２乃至図６に示すように、前記ノズル本体１１と接続部材１２とが平面視でＴ字状となる第一の使用状態では、前端１１Ａが必ず前側となると共に、図７乃至図１３に示すように、前記ノズル本体１１と接続部材１２とが平面視で直線状となる第二の使用状態では、前記ロック操作部２４が設けられた側１１Ｂ（以下、単に右端という）が必ず前側となる。
【００１４】
次に、本実施形態の作用について説明する。前記掃除機本体２に前記ノズル３及び集塵手段４が取り付けられた状態で、前記電源コード９の先端に設けられた図示しない電源プラグを、同じく図示しない電源に接続した後、同じく図示しないスイッチ操作部を操作することで、前記電動送風機５が作動する。そして、このように前記電動送風機５が作動することで、前記ノズル３から図示しない吸引経路、前記集塵手段４を経て前記電動送風機５に至る吸引気流Ｓが形成される。この吸引気流Ｓに含まれる塵埃は、前記集塵手段４内で吸引気流Ｓから分離され、前記集塵手段４内に溜められる。
【００１５】
前記ノズル３を第一の使用状態で使用する場合、吸引気流Ｓは、図６に示すように、その大部分が前記ノズル本体１１の前方及び左右から前記入口開口１４に流入し、前記ノズル本体１１の後方からは殆ど流入しない。これは、前述したように、前記前ブラシ列１７を構成する毛束２０同士の間隔Ｐ１が、前記後ブラシ列１８を構成する毛束２２同士の間隔Ｐ２よりも大きく、前記前ブラシ列１７の各毛束２０同士と前記取付面１９、及び被清掃面Ｆで囲まれる開口部の総面積が、前記後ブラシ列１８の各毛束２２同士と前記取付面２１で囲まれる開口部の総面積よりも大きくなる（即ち、前記前ブラシ列１７の方が前記後ブラシ列１８よりも間隙が大きい）ことで、前記後ブラシ列１８に比較して、吸引気流Ｓが前記前ブラシ列１７を通過しやすいためである。また、前記ノズル本体１１の左右両端には、少なくとも前記ノズル本体１１の底面１３と前記前リブ１５及び後リブ１６で規定される開口が確保されるので、吸引気流Ｓは前記ノズル本体１１の左右からも多く吸引されることになる。従って、被清掃面Ｆ上で前記ノズル３を前後に動かすと、前記前ブラシ列１７及び後ブラシ列１８によって、被清掃面Ｆ上の塵埃が掻き上げられると共に、この掻き上げられた塵埃が、前記前ブラシ列１７を構成する毛束２０同士の間隙、及び前記ノズル本体１１の左右から、吸引気流Ｓと共に前記入口開口１４に流入し、前記集塵手段４にて吸引気流Ｓから分離される。このため、前記ノズル３は、使用者の前方及び両側方という、前記ノズル３を動かす際の移動先及びその周辺から吸引気流Ｓを多く吸引することができるので、被清掃面Ｆ上を良好に清掃することができる。
【００１６】
前記ノズル３を第二の使用状態とする場合、前記ロック操作部２４を操作して、前記右端１１Ｂが前方となるように、前記ノズル本体１１を９０度回転させる。そして、この状態で使用する場合、図１０乃至図１２に示すように、前記ノズル３を被清掃面Ｆに強く押し付け、前記前ブラシ列１７を構成する毛束２２及び後ブラシ列１８を構成する毛束２２を撓ませる。この際、前記前ブラシ列１７の各毛束２０同士と前記取付面１９と被清掃面Ｆで囲まれる開口部の総面積の方が、前記後ブラシ列１８の各毛束２２同士と前記取付面２１で囲まれる開口部の総面積よりも大きいものの、それらの差は前記各毛束２０，２２が直立した状態に比べて小さくなるばかりでなく、前述したように、前記各リブ１５，１６が、前記各取付面１９，２１から下方に突出していることで、前記各毛束２０，２２の間隙の基端側、即ち各間隙の大きく開いている部分が前記各リブ１５，１６と重なって、吸引気流Ｓに対する抵抗となることで、図１３に示すように、前記ノズル本体１１の側方から前記各ブラシ列１７，１８を通過して前記入口開口１４に流入する気流Ｓを少なくすると共に、これらの吸引気流Ｓが左右で大差ないようにすることで、塵埃を含む吸引気流Ｓを前記ノズル３の前方から良好に吸引することができる。なお、この際、吸引気流Ｓは前記ノズル３の後方からも吸引されることになるが、前述したように、前記ノズル３の左右両側方から前記入口開口１４に流入する量が著しく制限されるので、充分な量の吸引気流Ｓを前記ノズル３の前方から吸引することができる。なお、前述したように、前記各リブ１５，１６が前記ノズル本体１１の底面１３から下方に突出していることで、少なくとも、被清掃面Ｆと前記底面１３との間に、前記各リブ１５，１６の高さ分の隙間が確保されるので、前記ノズル３を被清掃面Ｆに押し付けすぎたとしても、前記電動送風機５に過大な負担をかけることがない。また、第二の使用状態では、前記右端１１Ｂが前方となるので、前記接続部材１２の接続管２６が前記ロック操作部２４と重なることがない。従って、第二の使用状態から第一の使用状態に戻すために前記ロック操作部２４を操作する際に、前記接続管２６が操作の邪魔になることがない。
【００１７】
以上のように、本発明の電気掃除機１のノズル３は、底面１３に入口開口１４が形成されたノズル本体１１と、前記入口開口１４と連通する接続部材１２とを有し、前記ノズル本体１１の入口開口１４の前側及び後側に夫々毛束２０，２２を列状に植設して形成した前ブラシ列１７及び後ブラシ列１８を設けると共に、前記前ブラシ列１７の毛束２０同士の間隔Ｐ１を、前記後ブラシ列１８の毛束２２同士の間隔Ｐ２よりも大きくしたことで、前記ノズル３から塵埃を含んだ気流Ｓを吸引する場合、前記後ブラシ列１８を構成する毛束２２同士の間隙よりも、前記前ブラシ列１７を構成する毛束２０同士の間隙から、より多くの気流Ｓを吸引することができるので、塵埃を前記ノズル３の前方から良好に吸引することができるものである。
【００１８】
また、本発明の電気掃除機１のノズル３は、前記ノズル本体１１の右端１１Ｂ側が前端となるように、前記ノズル本体１１を前記接続部材１２に対して回動可能とし、前記入口開口１４を挟むように且つ前記各ブラシ列１７，１８と並列に一対のリブ１５，１６を形成し、これらのリブ１５，１６を、前記毛束２０，２２の取付面１９，２１から下方に突出して形成したことで、前記ノズル本体１１の右端１１Ｂが前端となる第二の使用状態で、前記ノズル３を被清掃面Ｆに押し付けて、前記各ブラシ列１７，１８を構成する毛束２０，２２を撓ませると、前記前ブラシ列１７の各毛束２０同士と前記取付面１９及び被清掃面Ｆで囲まれる開口部の総面積と、前記後ブラシ列１８の各毛束２２同士と前記取付面２１で囲まれる開口部の総面積との差が、前記各毛束２０，２２が直立した状態に比べて小さくなるばかりでなく、前記各開口部の前記取付面１９，２１側、即ち大きく開いた部分が前記各リブ１５，１６と重なることで、前記ノズル本体１１の側方から前記各ブラシ列１７，１８を通過して前記入口開口１４に流入する気流Ｓを少なくすると共に、この気流Ｓを左右で大差ないようにすることで、塵埃を含む気流Ｓを前記ノズル３の前方から良好に吸引することができるものである。
【００１９】
なお、本発明は以上の実施形態に限定されるものではなく、発明の要旨の範囲内で種々の変形実施が可能である。例えば、上記実施形態では、前リブの前方に前ブラシ列を、後リブの後方に後ブラシ列を設けた（即ち、各ブラシ列の内側に各リブを形成した）が、図１４及び図１５に示すように、ノズル本体３１と連結部材１２とを有して構成されるノズル３２において、前記ノズル本体３１の底面３３の中央に形成された入口開口３４を挟むように、前リブ３５及び後リブ３６を形成すると共に、前記前リブ３５の後方に前ブラシ列３７、前記後リブ３６の前方に後ブラシ列３３（即ち、各リブ３５，３６の内側に各ブラシ列３７，３８）を設けてもよい。また、図１６及び図１７に示すように、ノズル本体４１と連結部材１２とを有して構成されるノズル４２において、前記ノズル本体４１の底面４３の中央に形成された入口開口４４を挟むように、二条の前リブ４５，４６及び二条の後リブ４７，４８を形成すると共に、前記各前リブ４５，４６の間に前ブラシ列４９、前記各後リブ４７，４８の間に後ブラシ列５０を設けてもよい。更に、図１８及び図１９に示すように、ノズル本体５１と連結部材１２とを有して構成されるノズル５２において、前記ノズル本体５１の底面５３の中央に形成された入口開口５４を挟むように、前リブ５５及び後リブ５６を形成すると共に、前記前リブ５５の前後に夫々前ブラシ列５７，５８を設け、前記後リブ５６の前後に夫々後ブラシ列５９，６０を設けてもよい。
【図面の簡単な説明】
【００２０】
【図１】本発明の一実施形態を示す電気掃除機全体の外観図である。
【図２】同、第一の使用状態におけるノズルの正面図である。
【図３】同、第一の使用状態におけるノズルの右側面図である。
【図４】同、第一の使用状態におけるノズルの平面図である。
【図５】同、第一の使用状態におけるノズルの底面図である。
【図６】同、第一の使用状態における吸引気流を示す平面図である。
【図７】同、第二の使用状態におけるノズルの正面図である。
【図８】同、第二の使用状態におけるノズルの右側面図である。
【図９】同、第二の使用状態におけるノズルの平面図である。
【図１０】同、第二の使用状態においてノズルを被清掃面に押し付けた際のノズルの正面図である。
【図１１】同、第二の使用状態においてノズルを被清掃面に押し付けた際のノズルの右側面図である。
【図１２】同、第二の使用状態においてノズルを被清掃面に押し付けた際のノズルの左側面図である。
【図１３】同、第二の使用状態における吸引気流を示す平面図である。
【図１４】本発明の他の実施形態を示すノズルの右側面図である。
【図１５】同、底面図である。
【図１６】本発明の更に他の実施形態を示すノズルの右側面図である。
【図１７】同、底面図である。
【図１８】本発明の更に他の実施形態を示すノズルの右側面図である。
【図１９】同、底面図である。
【符号の説明】
【００２１】
３，３２，４２，５２  ノズル
１１，３１，４１，５１  ノズル本体
１１Ａ  前端
１１Ｂ  右端
１２  接続部材
１３，３３，４３，５３  底面
１４，３４，４４，５４  入口開口
１５，３５，４５，４６，５５  前リブ
１６，３６，４７，４８，５６  後リブ
１７，３７，４９，５７，５８  前ブラシ列
１８，３８，５０，５９，６０  後ブラシ列
１９，２１  取付面
２０，２２  毛束
Ｆ  被清掃面
【図１】
0005199732.tif 000002
【図２】
0005199732.tif 000003
【図３】
0005199732.tif 000004
【図４】
0005199732.tif 000005
【図５】
0005199732.tif 000006
【図６】
0005199732.tif 000007
【図７】
0005199732.tif 000008
【図８】
0005199732.tif 000009
【図９】
0005199732.tif 000010
【図１０】
0005199732.tif 000011
【図１１】
0005199732.tif 000012
【図１２】
0005199732.tif 000013
【図１３】
0005199732.tif 000014
【図１４】
0005199732.tif 000015
【図１５】
0005199732.tif 000016
【図１６】
0005199732.tif 000017
【図１７】
0005199732.tif 000018
【図１８】
0005199732.tif 000019
【図１９】
0005199732.tif 000020